(57)【要約】      （修正有）【課題】成形工程の冷却時に、リブの硬化後に収縮が続く主部のゆがみ量を抑制することができる化粧パネルを提供する。【解決手段】化粧パネル２２は、主部２３と、主部の外周辺に配置されたリブ２４〜２６と、を有して構成される化粧パネルであって、リブ２４〜２６の板厚は、主部の板厚よりも薄い。リブ２４〜２６は、それぞれの外周辺において、複数に分割されて配置されており、主部２３のゆがみ量を抑制する。【選択図】図３
2020013818.tif 000002
【特許請求の範囲】
【請求項１】
主部と、前記主部の外周辺に配置されたリブと、を有して構成される化粧パネルであって、
前記リブの板厚は、前記主部の板厚よりも薄く、
前記リブは、前記外周辺において、複数に分割されて配置されている
化粧パネル。
【請求項２】
前記主部は、矩形形状で形成され
前記リブは、矩形形状で形成された前記主部の上辺に配置された第１リブと、前記主部の前記上辺以外に配置された第２リブとで構成され、
前記第１リブがパネルユニットの固定枠に差し込まれた状態で、前記化粧パネルが前記パネルユニットに固定され、
開口部を有する扉の裏面側から前記パネルユニットを前記開口部に取り付けた際に、前記第２リブが前記扉の裏面により前記固定枠に押し付けられる状態となる
請求項１に記載の化粧パネル。
【発明の詳細な説明】
【技術分野】
【０００１】
この発明は、パネルユニットに取り付けられる化粧パネルに関する。
【背景技術】
【０００２】
火災受信機、消火システム制御盤等には、液晶パネルが搭載されたパネルユニットが扉に取り付けられている。このようなパネルユニットの取付方法の一例としては、筐体に設けた開口部に対して、パネルユニットを、筐体の正面側から嵌め込むようにして取り付けたものがある（例えば、特許文献１参照）。
【０００３】
従来、液晶パネルの固定枠に貼り付ける化粧パネルは、厚みのある主部と、主部の上辺に設けられ、パネルユニットに差し込まれるリブと、により構成されている。ここで、リブの長さは、化粧パネルの上辺と同じ長さとして形成されている。
【先行技術文献】
【特許文献】
【０００４】
【特許文献１】特開平７−２７４３１７号公報
【発明の概要】
【発明が解決しようとする課題】
【０００５】
しかしながら、化粧パネルは、主部の板厚と、リブの板厚とが異なっている。具体的には、リブの板厚は、主部の板厚よりも薄く形成されている。このため、成形工程の冷却時に、化粧パネルの材料が冷え固まるまでの時間が、主部とリブとで異なる。化粧パネルの材料であるアクリルは、固まる際に収縮する。このため、リブが固まった後も、リブよりも厚みのある主部は、さらに収縮することになる。
【０００６】
この結果、主部にゆがみが生じ、反りが発生することとなる。特に、液晶パネルのサイズが大きくなった場合には、反りの発生に起因するゆがみの問題が、より顕著となり、ゆがみ量を極力抑制することが望まれている。
【０００７】
本発明は、このような問題を解決するためになされたものであり、成形工程の冷却時に、リブの硬化後に収縮が続く主部のゆがみ量を抑制することができる化粧パネルを得ることを目的とする。
【課題を解決するための手段】
【０００８】
上記の課題を解決するために、本発明に係る化粧パネルは、主部と、主部の外周辺に配置されたリブと、を有して構成される化粧パネルであって、リブの板厚は、主部の板厚よりも薄く、リブは、外周辺において、複数に分割されて配置されているものである。
【発明の効果】
【０００９】
この発明によれば、化粧パネルに設けられるリブを、複数に分割して形成する構成を備えている。この結果、成形工程の冷却時に、リブの硬化後に収縮が続く主部のゆがみ量を抑制することができる化粧パネルを得ることができる。
【図面の簡単な説明】
【００１０】
【図１】本発明の実施の形態１に係る化粧パネルを備えたパネルユニットを、火災受信機に適用した場合の全体構成図である。
【図２】本発明の実施の形態１に係るパネルユニットにおいて、化粧パネルを固定枠に取り付ける様子を示した説明図である。
【図３】本発明の実施の形態１に係る化粧パネルの形状を示す説明図である。
【発明を実施するための形態】
【００１１】
以下、本発明の化粧パネルの好適な実施の形態につき、図面を用いて説明する。なお、以下の説明では、本発明に係るパネルユニットを、火災受信機に適用する場合を具体例として、詳細に説明する。
【００１２】
実施の形態１．
図１は、本発明の実施の形態１に係る化粧パネルを備えたパネルユニットを、火災受信機に適用した場合の全体構成図である。図１に示すように、火災受信機１は、内部に制御機器等が収納される本体２と、本体２の正面側に開閉可能に取り付けられる扉３とを有している。扉３には開口部３ａが形成される。扉３の開口部３ａには、パネルユニット１０が取り付けられる。
【００１３】
パネルユニット１０は、固定枠１１に対して、操作部２０および表示部３０が取り付けられて構成されている。ここで、表示部３０は、長方形状の表示画面部に相当する液晶パネル３１と、液晶パネル３１の外周の四辺に亘って設けられる帯状のフランジ３２とを有する。液晶パネル３１は、火災関連情報等を表示する液晶画面を有しており、この液晶パネル３１としては、既製品を用いることが一般的である。
【００１４】
また、操作部２０は、表示部３０の下に一体的に設けられている。操作部２０には、使用者が液晶パネル３１の表示内容を見ながら操作することが可能なタッチキー２１および化粧パネル２２が設けられる。なお、タッチキー２１および化粧パネル２２に関しては、図１では省略しているが、後述する図２、図３を用いて詳述する。
【００１５】
また、以下の説明において、火災受信機１の本体２に対してパネルユニット１０が取り付けられている側を正面側Ｘ１とし、正面側Ｘ１の反対側を裏面側Ｘ２とする。
【００１６】
本実施の形態１に係る化粧パネル２２は、リブの配置および形状を工夫することで、成形工程の冷却時において発生する主部のゆがみ量を抑制することを技術的特徴としている。そこで、この技術的特徴に関する具体的な構成について、図２、図３を用いて詳細に説明する。
【００１７】
図２は、本発明の実施の形態１に係るパネルユニット１０において、化粧パネル２２を固定枠１１に取り付ける様子を示した説明図である。また、図３は、本発明の実施の形態１に係る化粧パネル２２の形状を示す説明図である。図３（ａ）は、化粧パネル２２の上面図、図３（ｂ）は、化粧パネル２２の正面図、図３（ｃ）は、化粧パネル２２の下面図をそれぞれ示している。
【００１８】
図２に示すように、化粧パネル２２は、正面側Ｘ１から裏面側Ｘ２の方向で、固定枠１１に取り付けられることで、タッチキー２１が設けられた操作部２０の前面を覆う状態となる。このような化粧パネル２２の取り付けの際には、化粧パネル２２の上部に設けられた複数のリブ２４が、固定枠１１に差し込まれることとなる。
【００１９】
本実施の形態１に係る化粧パネル２２は、図３に示すように、主部２３と、上部に設けられた複数のリブ２４と、左右に設けられた複数のリブ２５と、下部に設けられた複数のリブ２６と、を有して構成されている。ここで、上部に設けられた複数のリブ２４は、固定枠１１に対して化粧パネル２２を取り付ける際に利用される。
【００２０】
一方、その他のリブ２５、２６は、化粧パネル２２が固定枠１１に取り付けられた後のパネルユニット１０を、扉３の開口部３ａに裏面側から取り付ける際に利用される。すなわち、リブ２５、２６は、扉３の裏面により固定枠１１に押し付けられる形となる。このようにして、リブ２４〜２６を利用することで、販売後におけるパネルユニット１０の温度変化等による反りを抑制することができる。
【００２１】
なお、図２、図３に示したように、化粧パネル２２は、一般的に矩形形状を有している。そして、矩形形状の外周辺のうち、上辺に設けられた複数のリブ２４は、第１リブに相当する。また、矩形形状の外周辺のうち、上辺以外に設けられた複数のリブ２５、２６は、第２リブに相当する。
【００２２】
リブ２４〜２６の板厚は、主部２３の板厚よりも薄く形成される。従って、成形工程の冷却時に、リブ２４〜２６が固まった後も、リブよりも厚みのある主部２３は、さらに収縮することになる。従来は、リブ２４〜２６が、化粧パネル２２の各外周辺に沿って、それぞれの辺と同じ長さで形成されていた。この場合には、成形工程の冷却時に、主部２３にゆがみが生じ、反りが発生する問題があった。
【００２３】
これに対して、本実施の形態１では、化粧パネル２２の各辺に設けるリブが複数に分割されており、それぞれの辺において、複数のリブが複数の固定片として機能するように配置されている。このように、リブ２４〜２６のそれぞれを、複数の固定片に分割することで、成形工程の冷却時に発生する主部２３の反りを抑制することができる。すなわち、各辺のリブを複数に分割することで、成形工程の冷却時に、複数のリブ２４〜２６が硬化した後に続く主部２３のゆがみを抑制することができる。
【００２４】
以上のように、実施の形態１によれば、化粧パネルに設けられるリブを、各辺で複数に分割して形成している。この結果、成形工程の冷却時に、複数に分割されたリブの硬化後に収縮が続く主部にゆがみが発生することを抑制することができる。
【００２５】
なお、リブに関しては、すべての辺のリブを複数に分割する必要はなく、例えば、固定枠１１に差し込まれるリブ２４を分割配置することで、主部２３に発生するゆがみ量を抑制することができる。
【符号の説明】
【００２６】
１０  パネルユニット、１１  固定枠、２０  操作部、２１  タッチキー、２２  化粧パネル、２３  主部、２４〜２６  リブ、３０  表示部、３１  液晶パネル。
【図１】
2020013818.tif 000003
【図２】
2020013818.tif 000004
【図３】
2020013818.tif 000005